(57)【要約】      （修正有）【課題】組立が容易であり、また植え替えが容易であり、かつ安定した構成を備える組立式植木鉢を提供する。【解決手段】連結用凹状段差部と連結用凸状段差部を備える、少なくとも１以上の第１の枠状体２〜６と、連結用凹状段差部と連結用凸状段差部を備え、さらに水はけ用孔が形成された底板とを備える第２の枠状体７とを有し、第１の枠状体と、第２の枠状体とを、それぞれ、適宜、重ねたとき、これらの枠状体が互いに係合するように形成されている。【選択図】図４
0003197745.tif 000002
【実用新案登録請求の範囲】
【請求項１】
一方の面側に第１の連結用凹状段差部を備え、他方の面側に第１の連結用凸状段差部を備える、少なくとも１以上の第１の枠状体と、
一方の面側に第２の連結用凹状段差部を備え、他方の面側に第２の連結用凸状段差部を備え、さらに水はけ用孔が形成された底板とを備える第２の枠状体とを有し、
少なくとも１以上の前記第１の枠状体と、前記第２の枠状体とを、それぞれ、適宜、重ねたとき、これらの枠状体が互いに係合するように、平面視で、前記第１の連結用凸状段差部、前記第１の連結用凹状段差部、前記第２の連結用凸状段差部、記第２の連結用凹状段差部が、同じ位置に形成されていることを特徴とする植木鉢。
【請求項２】
前記第１の枠状体、前記第２の枠状体の外形は、正方形、長方形、円形、楕円形、ひし形、３角形、多角形、曲線形状のいずれかであることを特徴とする請求項１に記載の植木鉢。
【請求項３】
前記第１の連結用凸状段差部、前記第１の連結用凹状段差部、前記第２の連結用凸状段差部、記第２の連結用凹状段差部の平面視の形状は、正方形であることを特徴とする請求項１または２のいずれかに記載の植木鉢。
【請求項４】
前記第１の連結用凸状段差部、前記第１の連結用凹状段差部、前記第２の連結用凸状段差部、記第２の連結用凹状段差部の平面視の形状は、円形であることを特徴とする請求項１または２のいずれかに記載の植木鉢。
【考案の詳細な説明】
【技術分野】
【０００１】
本考案は、組立式植木鉢の構造に関する。
【背景技術】
【０００２】
多くの家庭の庭やマンションのベランダ、または室内のリビングなどにおいて、主として観賞用に植木が植木鉢で育てられている。ここで、植木とは、草や花の他に、植木鉢で育てられる小さな木を含んでいる。
【０００３】
植木鉢で植木を育てる最も大きな楽しみは、いつでも自分の傍でその成長を見ることができるからであろう。
【０００４】
一般に植木鉢で植木を育てるとき、植木鉢にタネを蒔いて育てる場合もあるし、苗を植えて育てる場合もある。
【０００５】
ところで植木鉢で植木を育てていると、植木が思っていた以上に育ち、植木鉢で支えきれなくなって植木が倒れたり、あるいは、バランスを失って植木鉢ごと倒れてしまうことがある。
【０００６】
そこで、植木鉢が倒れる前に、大きくなった植木を別の大きな植木鉢に植え替える必要がある。
【０００７】
しかし、鉢から鉢へと植木を植え替えるとき、植木の根が切れたり、根から土が取れてせっかく大きく育った植木を痛めたり、最悪の場合、根が弱って枯れてしまうこともある。また植え替え作業自体が煩雑でもあるので、植え替えないでそのまま放置することがある。また、大きくなった植木を植木鉢から引き抜いて廃棄処分をすることもある。
【特許文献１】実開平０７−０２５７３４
【考案の開示】
【考案が解決しようとする課題】
【０００８】
また、組立式植木鉢は、組立が容易であることと、植木の植え替えが容易であること、また植木鉢に入れられる土壌の荷重に耐えられる構造であることが要求される。
【０００９】
本考案は上記の問題を解決し、組立が容易であり、また植え替えが容易であり、かつ安定した構成を備える組立式植木鉢を提供することを目的とする。
【課題を解決するための手段】
【００１０】
本願考案の植木鉢は、一方の面側に第１の連結用凹状段差部を備え、他方の面側に第１の連結用凸状段差部を備える、少なくとも１以上の第１の枠状体と、
一方の面側に第２の連結用凹状段差部を備え、他方の面側に第２の連結用凸状段差部を備え、さらに水はけ用孔が形成された底板とを備える第２の枠状体とを有し、少なくとも１以上の前記第１の枠状体と、前記第２の枠状体とを、それぞれ、適宜、重ねたとき、これらの枠状体が互いに係合するように、平面視で、前記第１の連結用凸状段差部、前記第１の連結用凹状段差部、前記第２の連結用凸状段差部、記第２の連結用凹状段差部が、同じ位置に形成されていることを特徴とする。
【考案の効果】
【００１１】
本願考案の組立式植木鉢によれば、重ねる枠状体の段数を変えることにより、植木鉢の高さを自在に変えることができる。
また、本願考案の組立式植木鉢によれば、各枠状体は、それぞれの枠の辺に沿って凸状段差部と凹状段差部とが形成されている。
このため、嵌合した各枠状体の凸状段差部と凹状段差部とが、各辺に沿って全体として万遍なく係合しているから、植木や土などの重い荷重がかかっても、上側の枠状体はもちろん、下側の枠状体が崩れるようなことを防止することができる。
【考案を実施するための最良の形態】
【００１２】
以下に、本考案の実施の形態について、添付図面を参照しながら詳細に説明する。
【００１３】
（第１の実施形態の第１の枠状体の説明）
図１（a）は、本考案の組立式植木鉢を構成する第１の枠状体１の一つを示す斜視図である。
【００１４】
枠状体１の枠の外形は縦と横の辺の長さが等しい正方形であり、例を上げると、縦１５ｃｍ、横１５ｃｍである。但し、その長さは植木の大きさに応じて決めることができる。また、枠の幅は１.５ｃｍ、枠の厚みは４ｃｍである。
【００１５】
枠状体１の枠の内側の形も正方形であり、たとえば縦１１ｃｍ、横１１ｃｍである。
【００１６】
枠の内側には、枠の各辺に沿って枠の上面１ｂより０．５ｃｍ低い段差部（凹状段差部１a）が形成されている。また段差部の幅は０．５ｃｍ程度である。
【００１７】
図１（b）は、図１（a）の枠状体１を裏側から見た斜視図であり、枠状体１の内側には、正方形の外形の辺に沿って、枠の下面１ｄよりも０．５ｃｍ高い段差部（凸状段差部１ｃ）が形成されている。ここで、凸状段差部１cと凹状段差部１aとは、平面視で、同じ位置に形成されている。同じ位置とは、物理的に不可能であるが、仮に枠状体１の凹状段差部１aに、枠状体１の凸状段差部１cを嵌め込むことができたとすると、丁度、嵌め込むことができる位置にあることを意味している。なお、嵌め込みを確実に、かつ円滑に行うためには、凹状段差部１aがなす正方形は、凸状段差部１bがなす正方形よりも、多少、大きめに作成しておくことが望ましい。
【００１８】
図２は、図１で示す第１の枠状体１と同じ構造を備えた複数の第１の枠状体２〜６を重ねた状態を示す斜視図である。
【００１９】
図のように、一番上の枠状体２の凸状段差部は、その下の枠状体３の凹状段差部に嵌合し、枠状体３の凸状段差部は、その下の枠状体４の凹状段差部に嵌合している。
【００２０】
このように、枠状体２〜６は、それぞれの枠の辺に沿って形成された凹状段差部と凸状段差部とが嵌合することにより、一つの植木鉢を形成している。
【００２１】
このため、本考案の組立式植木鉢によれば、凹状段差部と凸状段差部とが、互いに面的に対向しているので、一様に支え合う構成となっている。従って、植木鉢に土壌や植木を入れたとき、それらの荷重が枠の特定の部位に集中することを防ぐことができるので、壊れにくい構造の強固な組立式植木鉢をつくることができる。
【００２２】
なお、図２では、各枠状体の厚さが４ｃｍの場合を示しているが、たとえば、厚さが１ｃｍ、あるいは２ｃｍのものでもよいことは、もちろんである。
【００２３】
例えば、少ない段数で、より背の高い植木鉢を組立てたいときには、厚さ４ｃｍの枠状体だけを使えばよい。一方、極めて背の低い植木を植えるとき、植木鉢も背の低い方がバランスがよいであろう。この場合には、厚さが１ｃｍの枠状体を使用すればよい。
【００２４】
また、厚さの異なる枠状体を使用して、適宜、組み合わせることもできる。植木鉢の高さを調節できるだけでなく、植木鉢の雰囲気も変えることができる。そして、植木鉢に植える花の種類に合わせて植木鉢の構成を変えれば、植木の観賞とともに、植木鉢の観賞も同時に楽しむことができる。
【００２５】
（底板のある第１の実施形態の第２の枠状体の説明）
図３（a）は、本考案の組立式植木鉢を構成する第２の枠状体７を示す斜視図である。
【００２６】
枠状体７の枠の外形は、第１の枠状体７と同じく、縦１５ｃｍ、横１５ｃｍの正方形である。また、枠の幅は１.５ｃｍ、枠の厚みは１ｃｍである。
【００２７】
枠状体１の枠の内側の形も正方形であり、たとえば縦１１ｃｍ、横１１ｃｍである。
【００２８】
７aは枠状体７の枠の開口を塞ぐ底板であり、底板７aの中央付近には、水はけ用の孔８が設けられている。なお、底板７aは植木鉢に入れた土壌や植木を支えるためのものであり、通常の植木鉢の底の部分に対応する。
【００２９】
また、底板７aの面は、枠状体７の枠の上面７ｂよりも０.５ｃｍ低くなっており、この段差が凹状段差部７cを形成している。
【００３０】
図３（b）は、図３（a）の第２の枠状体７を裏側から見た斜視図であり、底板７の裏側には、島状に４つの凸状部９a〜９dが形成されている。そして、凸状部９a〜９dの面は、枠の裏面７dよりも０.５ｃｍ高くなっており、これにより凸状段差部７eを形成している。また凸状部９a〜９dの各外側辺で形成される外郭線は正方形をなしており、正方形の第１の枠状体の凹状段差部１aに嵌め込むことができる。
【００３１】
さらに、４つの凸状部９a〜９dの間に形成された溝１０a〜１０dは、植木鉢の植木に水などの液体を注いだとき、孔８から出てきた余分な液体を底板８から効率的に四方に排出するためのものである。
【００３２】
なお、第２の枠状体の底板７は枠と一体的に形成されたものであっても良いし、別々に作った底板と枠とを貼り合わせるようにして作ってもよい。
【００３３】
（第１の実施形態の組立例）
図４（a）は本実施形態の植木鉢の斜視図を示し、底板を備えた第２の枠状体７を一番下に置き、その上に第１の枠状体２〜６を重ねた状態を示している。
【００３４】
本実施形態の植木鉢によれば、植木の大きさに応じて、植木鉢の大きさを変えることができる。
【００３５】
たとえば、植える植木が大きいときには、枠状体の段数を増やして、実質的に植木鉢を大きくしておけばよい。これにより、植木が大きくなっても植木鉢の転倒を防ぐことができる。
【００３６】
また苗を植える場合など、植木の丈が小さいときには、本考案の植木鉢によれば、枠状体の段数を減らすことにより、簡単に植木鉢の大きさを小さくすることができる。
【００３７】
また、本実施形態では、凹状段差部１aと、これに嵌合する枠状体１の凸状段差部１cを正方形にしているので、４方向、いずれの方向からも嵌合可能である。したがって、組立も組み換えも容易に行うこともできる。
【００３８】
図４（ｂ）は、底板を備えた第２の枠状体７を、第１の枠状体４と第１の枠状体６との間に挿入した例を示している。このように、底板を備えた枠状体７の位置を上にすることもできるし、下にすることもできる。
【００３９】
したがって、図４（ｂ）に示すように、第１の枠状体の段数を増やすとともに、底板を備えた枠状体７の位置を上方に上げることにより、植木の位置を人の目線にまで近づけることができる。このように本考案の植木鉢によれば、観賞に最も適するように植木の位置を移動させることができる。
【００４０】
また本考案の組立式植木鉢の形を種々なものに変えることができる。図５(a)は、本考案の外形を円形にした枠状体の斜視図、図５(b)は、本考案の外形を六角形にした枠状体の斜視図、図５(c)は、本考案の外形を曲線状にした枠状体の斜視図である。
【００４１】
（第２の実施形態の第１の枠状体の説明）
図６（a）は、本考案の植木鉢の第２の実施形態を示す第１の枠状体１１を示す斜視図である。
【００４２】
枠状体１１は、図１の第１の枠状体１と異なるのは、枠の内側に形成された凹状段差部１１aが円形である点である。円の直径は、たとえば、１１ｃｍである。なお、１１ｂは枠状体１１の枠の上面である。
【００４３】
図６（b）は、枠状体１１を裏側からみた斜視図である。図のように、枠状体１１の裏側に凸状段差部１１cが形成されている。また、平面視で、凸状段差部１１cは、凹状段差部１１aと同じ位置に形成されている。なお、枠状体１１の１１dは枠の下面である。
【００４４】
（底板のある第２の実施形態の第２の枠状体の説明）
図７（a）は、本考案の組立式植木鉢を構成する第２の枠状体１２を示す斜視図である。
【００４５】
枠状体１２は、図３の第２の枠状体７と異なるのは、枠の内側に形成された凹状段差部１２cが円形である点である。なお、１２aは底板、１2ｂは枠状体１2の枠の上面、１３は液体を排出する孔である。
【００４６】
図７（b）は、図７（a）の第２の枠状体１２を裏側から見た斜視図である。底板１２aの裏側には、島状に４つの凸状部１３a〜１３dが形成され、それらの間に溝１４a〜１４dが形成されている。また凸状部１３a〜１３dの各円弧上の外側辺で形成される外郭線は円形をなして凸状段差部１５aを形成しており、円形の第１の枠状体１１の凹状段差部１１aに嵌め込むことができる。なお、１２dは第２の枠状体１２を枠の裏面を示している。
【００４７】
（第２の実施形態の組立例）
図８は本考案の第２の実施形態の植木鉢の組立例を示す斜視図であり、第２の枠状体１２の上に第１の枠状体を重ねている。
【００４８】
この場合、第１の枠状体１１の凹状段差部１１aと、第２の枠状体１２の凸状段差部１５aとは円形状態で嵌合しているので、嵌合の角度を自由に変えることができる。従って、本考案の第２の実施形態によれば、いずれの方向からも嵌合可能であるので、組立も組み換えも容易に行うことができる。
【００４９】
図９は、厚さが４ｃｍの第１の枠状体１１、厚さが２ｃｍの第１の枠状体１６、厚さが１ｃｍの第２の枠状体１２を重ねたときの状態を示している。このように、本考案の第２の実施形態によれば、各枠状体の向きを自由に変えることができる。
【００５０】
（実施形態の拡張）
図3(b)に示す実施形態では、底板の裏側に余分な水などを導くために溝１０a〜１０dを備えた第２の枠状体について説明したが、図１０は、底板の裏側に溝が形成されていない第２の枠状体を説明するための斜視図である。
【００５１】
この場合、植木に与えた水のうちの余分な水は、そのまま孔から下へ落ちていくであろう。そのときは、孔の直下にコップや皿など、水を受けるための容器を置いておくことが望ましい。
【００５２】
同様に、図７(b)に示す実施形態では、余分な水などを導くために溝１４a〜１４dを備えた底板について説明したが、図１１は、溝を形成しない第２の枠状体を説明するための斜視図である。この場合も、コップや皿など、水を受けるための容器を置いておくことが望ましい。
【００５３】
また、第１の枠状体、および第２の枠状体の材料としては、ソフトな質感を楽しむことができる桜やクルミの木などの木材、軽量性を必要するときなどにはプラスティック材、あるいは重厚さを要求されるときには銅やステンレスなどの金属材を使用することが可能である。また、これら材質の異なる枠状体を、適宜、組み合わせることも可能である。
【００５４】
さらに、本考案では、植木鉢として用いる場合について説明したが、植木鉢のカバーとして使用することもできる。たとえば、植木は気に入っているが、植木鉢の形や色彩、材質などの点で満足できない場合、本考案の組立式植木鉢を、その収納容器として、すなわち、植木鉢のカバーとして用いてもよい。
【図面の簡単な説明】
【００５５】
【図１】図１（a）は、本考案の第１の実施形態に係る第１の枠状体の斜視図であり、図１（b）は、図１（a）に示す第１の枠状体を裏側からみた斜視図である。
【図２】本考案の第１の実施形態に係る第１の枠状体を積み重ねた状態を示す斜視図である。
【図３】図３（a）は、本考案第の１の実施形態に係る第２の枠状体の斜視図であり、図３（b）は、図３（a）に示す第２の枠状体の裏側からみた斜視図である。
【図４】図４（a）は、本考案の第１の実施形態に係る組立式植木鉢の斜視図であり、図４（b）は、本考案の第２の実施形態に係る組立式植木鉢の斜視図である。
【図５】図５（a）〜図５（ｃ）は、本考案に係る第１の枠状体の別の実施形態を説明する斜視図である。
【図６】図６（a）は、本考案の第２の実施形態に係る第１の枠状体の斜視図であり、図６（b）は、図６（a）に示す第１の枠状体を裏側からみた斜視図である。
【図７】図７（a）は、本考案第の２の実施形態に係る第２の枠状体の斜視図であり、図７（b）は、図７（a）に示す第２の枠状体の裏側からみた斜視図である。
【図８】図８は、本考案の第２の実施形態に係る組立式植木鉢の斜視図であり、
【図９】図９は、本考案の第３の実施形態に係る組立式植木鉢の斜視図である。
【図１０】図１０は、本考案の別の実施形態に係る第２の枠状体を裏側からみた斜視図である。
【図１１】図１１は、本考案のさらに別の実施形態に係る第２の枠状体を裏側からみた斜視図である。
【符号の説明】
【００５６】
１〜６ ・・・第１の枠状体
７,  11・・・第２の枠状体
１a, １１a, 12c ・・・凹状段差部
１c, 7e,１１c,１５a ・・・凸状段差部
７a, １２a ・・・底板
１ｂ, ７b, 11b, 12b・・・枠状体の枠の表側面
１ｄ, ７d, 12d ・・・枠状体の枠の裏側面
8, 13・・・穴
9a〜9d, 13a〜13d・・・島状突起部
10a〜10d, 14a〜14d・・・溝
【図１】
0003197745.tif 000003
【図２】
0003197745.tif 000004
【図３】
0003197745.tif 000005
【図４】
0003197745.tif 000006
【図５】
0003197745.tif 000007
【図６】
0003197745.tif 000008
【図７】
0003197745.tif 000009
【図８】
0003197745.tif 000010
【図９】
0003197745.tif 000011
【図１０】
0003197745.tif 000012
【図１１】
0003197745.tif 000013